(57)【要約】【課題】内容物が封入されたカプセルおよび内容液を吐出する場合において使い勝手を向上できるスポイト容器を提供する。【解決手段】ノズル部材３は、有底筒状の第１ノズル部６と、第１ノズル部６の内部に挿入される軸部１７を有し、第１ノズル部６に対して上下動可能な第２ノズル部７と、第１ノズル部６と第２ノズル部７とが上下動することで容積が変化する作動空間９と、を有し、第１ノズル部６は、スリット１２が形成され弾性変形可能な底壁部１６ｂを有し、第１ノズル部６に対して第２ノズル部７が上方移動したときに、作動空間９の容積が増大して負圧が生じ、スリット１２を通してノズル部材３の内部にカプセルＣおよび内容液Ｌが吸引され、第１ノズル部６に対して第２ノズル部７が下方移動したときに、底壁部１６ｂと軸部１７との間でカプセルＣが破砕され、スリット１２を通してノズル部材３の外部に内容物および内容液Ｌが吐出される。【選択図】図２
2020083453.tif 000002
【特許請求の範囲】
【請求項１】
内容物が封入されたカプセルおよび内容液が収容される容器本体と、
前記容器本体の口部に挿入され、上下方向に延びるノズル部材と、
前記ノズル部材と連結され、前記口部に着脱可能に装着されるキャップ体と、を備え、
前記ノズル部材は、
有底筒状の第１ノズル部と、
前記第１ノズル部の内部に挿入される軸部を有し、前記第１ノズル部に対して上下動可能な第２ノズル部と、
前記第１ノズル部と前記第２ノズル部との間に配置され、前記第１ノズル部と前記第２ノズル部とが上下動することで容積が変化する作動空間と、を有し、
前記第１ノズル部は、スリットが形成され弾性変形可能な底壁部を有し、
前記第１ノズル部に対して前記第２ノズル部が上方移動したときに、前記作動空間の容積が増大して負圧が生じ、前記スリットを通して前記ノズル部材の内部に前記カプセルおよび前記内容液が吸引され、
前記第１ノズル部に対して前記第２ノズル部が下方移動したときに、前記底壁部と前記軸部との間で前記カプセルが破砕され、前記スリットを通して前記ノズル部材の外部に前記内容物および前記内容液が吐出される、
スポイト容器。
【請求項２】
前記ノズル部材は、
前記作動空間の一部を構成し、前記第１ノズル部および前記第２ノズル部のいずれか一方に設けられ、他方と摺接するピストンと、
前記第１ノズル部に対して前記第２ノズル部を上方付勢する付勢部と、を有し、
前記第２ノズル部は、前記キャップ体から上方に突出し、下方に押下可能な押下部を有する、
請求項１に記載のスポイト容器。
【請求項３】
前記底壁部は、前記スリットが配置され、上方に向けて湾曲する湾曲部を有する、
請求項１または２に記載のスポイト容器。
【請求項４】
前記スリットは、前記底壁部の下面視で、放射状に形成される、
請求項１から３のいずれか１項に記載のスポイト容器。
【発明の詳細な説明】
【技術分野】
【０００１】
本発明は、スポイト容器に関する。
【背景技術】
【０００２】
従来、例えば特許文献１のスポイト容器が知られている。このスポイト容器は、内容液が収容される容器本体と、容器本体の口部に挿入され、上下方向に延びるスポイト管と、スポイト管と連結され、口部に着脱可能に装着されるキャップ体と、キャップ体から上方に突出し、下方に押下可能な押釦と、押釦とスポイト管との間に配置される弾性圧搾部と、を備える。
【先行技術文献】
【特許文献】
【０００３】
【特許文献１】特開２０１５−１２７２２５号公報
【発明の概要】
【発明が解決しようとする課題】
【０００４】
ところで、内容物が封入されたカプセルを含む内容液を、従来のスポイト容器で吐出する場合には、カプセルおよび内容液を使用者の掌等に吐出し、掌等の上でカプセルを潰して内容物を出す手間が生じる。このような場合において、スポイト容器の使い勝手を向上させる点に改善の余地があった。
【０００５】
上記事情に鑑み、本発明は、内容物が封入されたカプセルおよび内容液を吐出する場合において使い勝手を向上できるスポイト容器を提供することを目的の一つとする。
【課題を解決するための手段】
【０００６】
本発明のスポイト容器の一つの態様は、内容物が封入されたカプセルおよび内容液が収容される容器本体と、前記容器本体の口部に挿入され、上下方向に延びるノズル部材と、前記ノズル部材と連結され、前記口部に着脱可能に装着されるキャップ体と、を備え、前記ノズル部材は、有底筒状の第１ノズル部と、前記第１ノズル部の内部に挿入される軸部を有し、前記第１ノズル部に対して上下動可能な第２ノズル部と、前記第１ノズル部と前記第２ノズル部との間に配置され、前記第１ノズル部と前記第２ノズル部とが上下動することで容積が変化する作動空間と、を有し、前記第１ノズル部は、スリットが形成され弾性変形可能な底壁部を有し、前記第１ノズル部に対して前記第２ノズル部が上方移動したときに、前記作動空間の容積が増大して負圧が生じ、前記スリットを通して前記ノズル部材の内部に前記カプセルおよび前記内容液が吸引され、前記第１ノズル部に対して前記第２ノズル部が下方移動したときに、前記底壁部と前記軸部との間で前記カプセルが破砕され、前記スリットを通して前記ノズル部材の外部に前記内容物および前記内容液が吐出される。
【０００７】
このスポイト容器では、第１ノズル部に対して第２ノズル部を上昇させると、作動空間の負圧の作用により、底壁部が弾性変形してスリットが開口し、このスリットを通して、容器本体内のカプセルおよび内容液が、ノズル部材の内部に吸い込まれる。次に、第１ノズル部に対して第２ノズル部を下降させると、底壁部と軸部との間にカプセルが挟まれて破砕され、カプセルに封入されていた内容物および内容液が、容積が減少した作動空間の正圧の作用により、スリットを通してノズル部材の外部に吐出される。
【０００８】
本発明によれば、スポイト容器を吐出操作したときに、カプセルが破砕されて内容物が内容液と一緒にノズル部材の外部に吐出される。すなわち、吐出操作前においては、内容物がカプセルに封入された状態であり、内容液や外気に晒されることが抑えられているため、内容物の機能（効能）が良好に維持される。そして、スポイト容器を吐出操作したときにカプセルが破砕されるため、内容物の機能が安定して発揮される。本発明によれば、吐出操作によってカプセルを破砕することができ、従来のように使用者が掌の上等でカプセルを潰す手間が少なく抑えられ、使い勝手がよい。
【０００９】
上記スポイト容器において、前記ノズル部材は、前記作動空間の一部を構成し、前記第１ノズル部および前記第２ノズル部のいずれか一方に設けられ、他方と摺接するピストンと、前記第１ノズル部に対して前記第２ノズル部を上方付勢する付勢部と、を有し、前記第２ノズル部は、前記キャップ体から上方に突出し、下方に押下可能な押下部を有することが好ましい。
【００１０】
この場合、ピストンによって作動空間のシール性が良好に維持されるため、作動空間の容積の増減によって作動空間の内圧が安定して変化し、上述の作用効果が安定して得られる。
また、付勢部が第２ノズル部を上方付勢しているので、例えば容器本体の口部からキャップ体を取り外したときに、第１ノズル部に対して第２ノズル部が自然に上方移動するように構成することができる。つまり、キャップ体を口部から取り外すという１つの操作によって、ノズル部材の内部に自然にカプセルおよび内容液を吸い込ませることができる。そして、押下部を押下することで、第１ノズル部に対して第２ノズル部を容易に下方移動させることができる。したがって、スポイト容器の操作性が向上する。
【００１１】
上記スポイト容器において、前記底壁部は、前記スリットが配置され、上方に向けて湾曲する湾曲部を有することが好ましい。
【００１２】
この場合、第１ノズル部に対して第２ノズル部が上方移動したときに、スリットが開きやすくなり、ノズル部材の内部にカプセルおよび内容液をより吸い込みやすい。また、スリットが開く方向に湾曲部が弾性変形するので、スリットを通過するカプセルが破砕されにくい。また、上方からの押圧力に対して底壁部の剛性が確保しやすくなり、第１ノズル部に対して第２ノズル部が下方移動したときに、軸部と底壁部との間でカプセルを安定して破砕できる。したがって、底壁部およびスリットの機能がより高められる。
【００１３】
上記スポイト容器において、前記スリットは、前記底壁部の下面視で、放射状に形成されることが好ましい。
【００１４】
この場合、スリットが例えばＸ字状やＹ字状等であり、より安定して開閉する。
【発明の効果】
【００１５】
本発明の一つの態様のスポイト容器によれば、内容物が封入されたカプセルおよび内容液を吐出する場合において使い勝手を向上できる。
【図面の簡単な説明】
【００１６】
【図１】本発明の一実施形態のスポイト容器を示す縦断面図および側面図（半断面図）である。
【図２】ノズル部材の内部にカプセルおよび内容液が吸い上げられる状態を示す半断面図である。
【図３】容器本体からノズル部材およびキャップ体が取り外された状態を示す半断面図である。
【図４】カプセルの内容物および内容液がノズル部材の外部に吐出された状態を示す半断面図である。
【発明を実施するための形態】
【００１７】
以下、本発明の一実施形態のスポイト容器１について、図面を参照して説明する。
図１に示すように、スポイト容器１は、有底筒状の容器本体２と、容器本体２の口部２ａに挿入されるノズル部材３と、口部２ａに着脱可能に装着されるキャップ体４と、口部２ａ内に嵌合されるしごき中栓５と、を備える。ノズル部材３、容器本体２の口部２ａ、キャップ体４およびしごき中栓５は、ノズル部材３の中心軸Ｏを共通軸として互いに同軸に配置されている。
容器本体２は、容器本体２の周壁である胴部と、容器本体２の底壁である底部２ｂと、容器本体２の開口部であり胴部よりも小径とされた口部２ａと、胴部と口部２ａとを繋ぐ肩部２ｃと、を有する。
【００１８】
本実施形態では、中心軸Ｏが延びる方向（中心軸Ｏに沿う方向）を上下方向（軸方向）と呼ぶ。図１に示すように、容器本体２の底部２ｂとキャップ体４とは、上下方向において互いに異なる位置に配置される。上下方向のうち、底部２ｂからキャップ体４に向かう方向を上方（上側）と呼び、キャップ体４から底部２ｂに向かう方向を下方（下側）と呼ぶ。
上下方向から見た平面視で、中心軸Ｏに直交する方向を径方向と呼ぶ。径方向のうち、中心軸Ｏに近づく方向を径方向内側と呼び、中心軸Ｏから離れる方向を径方向外側と呼ぶ。
中心軸Ｏ回りに周回する方向を周方向と呼ぶ。
【００１９】
容器本体２は、口部２ａの外周面に雄ねじ部を有する。
容器本体２内には、内容物が封入されたカプセルＣおよび内容液Ｌが収容される。内容液Ｌは、例えば液体化粧料などであり、カプセルＣの内容物は、例えば高濃度の美容成分やビタミン成分等である。カプセルＣの内容物として特に好適なものとしては、例えば、内容液Ｌと反応して高い機能（効能）が得られるが、反応後は時間経過にともなって機能が低下したり失われたりする成分等や、カプセルＣに封入されている状態ではその機能が良好に維持されるが、カプセルＣが破砕されると時間経過にともなって機能が低下したり失われたりする成分等が挙げられる。
図示の例では、カプセルＣが球状である。カプセルＣは、所定以上の外力により破砕可能であり、カプセルＣが破砕されることで、内容物がカプセルＣから外部に露出する。
【００２０】
ノズル部材３は、上下方向に延びる。ノズル部材３は、下端部が口部２ａよりも下方に位置し、上端部が口部２ａよりも上方に位置する。
ノズル部材３は、第１ノズル部６と、第２ノズル部７と、ピストン８と、作動空間９と、付勢部１０と、パッキン１１と、を有する。
【００２１】
第１ノズル部６は、有底筒状である。第１ノズル部６は、スリット１２が形成され弾性変形可能な底壁部１６ｂを有する。スリット１２および底壁部１６ｂについては、後述する。
第１ノズル部６は、ノズル本体筒１３と、ノズルフランジ１４と、支持筒１５と、バルブ筒１６と、を有する。
【００２２】
ノズル本体筒１３は、上下方向に延びる筒状である。ノズル本体筒１３は、透明な部材により形成されていてもよい。この場合、使用者が、ノズル本体筒１３の外部から内部を視認可能であるため、カプセルＣがノズル部材３内に吸引されたことを視認できる。ノズル本体筒１３は、下端部が容器本体２内において口部２ａよりも下方に配置され、上端部が口部２ａよりも上方に突出する。ノズル本体筒１３の下端部の外径は、下端部以外の部分の外径よりも小さい。ノズル本体筒１３の下端部には、バルブ筒１６が外嵌される。
【００２３】
ノズルフランジ１４は、ノズル本体筒１３の外周面から径方向外側に突出し周方向に延びる環状である。ノズルフランジ１４は、中心軸Ｏを中心とする円形リング板状である。ノズルフランジ１４は、一対の板面が上下方向を向く。ノズルフランジ１４は、口部２ａよりも上方に配置される。ノズルフランジ１４は、上下方向から見て、口部２ａと重なって配置される。
【００２４】
支持筒１５は、上下方向に延びる筒状である。支持筒１５は、ノズルフランジ１４から上方に向けて延びる。支持筒１５は、上下方向から見て、口部２ａと重なって配置される。支持筒１５の上端部の外径は、上端部以外の部分の外径よりも大きい。図示の例では、支持筒１５の上端部の外径と、ノズルフランジ１４の外径とが、互いに略同じである。
【００２５】
バルブ筒１６は、例えばゴム、エラストマー、シリコーンなどの弾性材料により形成される。
バルブ筒１６は、周壁部１６ａと、底壁部１６ｂと、嵌合筒部１６ｃと、を有する。バルブ筒１６のうち、少なくとも底壁部１６ｂは、弾性変形可能である。
【００２６】
周壁部１６ａは、上下方向に延びる筒状である。周壁部１６ａは、ノズル本体筒１３の下端部に外嵌される。図示の例では、周壁部１６ａの外径と、ノズル本体筒１３の下端部以外の部分の外径とが、互いに略同じである。周壁部１６ａは、バルブ筒１６において最も肉厚が大きく、剛性が確保されている。
【００２７】
底壁部１６ｂは、第１ノズル部６の下端部に配置される。底壁部１６ｂは、容器本体２の底部２ｂに対して、上方から隙間をあけて対向する。
底壁部１６ｂは、平坦部１６ｄと、湾曲部１６ｅと、スリット１２と、を有する。
【００２８】
平坦部１６ｄは、周壁部１６ａの下端部から径方向内側に突出し周方向に延びる環状である。平坦部１６ｄは、中心軸Ｏを中心とする円形リング板状である。平坦部１６ｄは、一対の板面が上下方向を向く。平坦部１６ｄの上面は、ノズル本体筒１３の下端面に対して、下方から隙間をあけて対向しまたは接触する。
【００２９】
湾曲部１６ｅは、上方に向けて湾曲するドーム状である。湾曲部１６ｅは、湾曲した板状である。湾曲部１６ｅは、一対の板面のうち上面が、上方に向けて膨出する凸曲面状であり、下面が、上方に向けて窪む凹曲面状である。
【００３０】
スリット１２は、湾曲部１６ｅに配置される。スリット１２は、底壁部１６ｂの下面視で、放射状に形成される。スリット１２は、底壁部１６ｂの下面視で、中心軸Ｏを中心とする例えばＸ字状やＹ字状等である。スリット１２は、通常状態においては閉じており、底壁部１６ｂに圧力等が作用したときに開口する。つまり、バルブ筒１６は、スリット１２を有するスリットバルブで構成される。
【００３１】
嵌合筒部１６ｃは、平坦部１６ｄの内周部から上方に向けて延びる筒状である。嵌合筒部１６ｃは、ノズル本体筒１３の下端部内に嵌合する。
【００３２】
第２ノズル部７は、第１ノズル部６に対して上下動可能である。
第２ノズル部７は、軸部１７と、シリンダ筒部１８と、シリンダフランジ１９と、連結筒部２０と、押下部２１と、を有する。
【００３３】
軸部１７は、上下方向に延びる。本実施形態では、軸部１７のうち、下側部分が中実の柱状であり、上側部分が中空の筒状である。軸部１７は、第１ノズル部６の内部に挿入される。具体的に、軸部１７は、ノズル本体筒１３内に挿入される。軸部１７の外径は、ノズル本体筒１３の内径よりも小さい。つまり、軸部１７の外周面とノズル本体筒１３の内周面との間には、隙間が設けられる。
【００３４】
図示の例では、軸部１７のうち上側部分の外径が、下側部分の外径よりも大きい。軸部１７の上側部分の外径は、上下方向に沿って略一定である。軸部１７の下側部分の外径は、下方に向かうに従い小さくなる。軸部１７の下側部分の外周面は、下方に向かうに従い縮径するテーパ状である。
【００３５】
軸部１７の下端面は、バルブ筒１６の底壁部１６ｂに対して、上方から隙間をあけて対向する。図示の例では、軸部１７の下端面が、上方に向けて窪む凹曲面状である。
軸部１７の上端は、ノズル本体筒１３の上端よりも上方に突出する。図示の例では、軸部１７の上端が、支持筒１５の上端面よりも上方に位置する。
【００３６】
シリンダ筒部１８は、上下方向に延びる筒状である。シリンダ筒部１８の内径は、軸部１７の外径よりも大きい。シリンダ筒部１８は、軸部１７の上端部を、その径方向外側から囲う。シリンダ筒部１８は、上端部が軸部１７の上端よりも上方に位置する。シリンダ筒部１８は、下端部が軸部１７の上端よりも下方に位置する。シリンダ筒部１８は、支持筒１５に内挿される。シリンダ筒部１８の下端は、ノズルフランジ１４に対して、上方から隙間をあけて対向する。
【００３７】
シリンダフランジ１９は、シリンダ筒部１８の外周面から径方向外側に突出し周方向に延びる環状である。シリンダフランジ１９は、中心軸Ｏを中心とする円形リング板状である。シリンダフランジ１９は、支持筒１５の上方に位置する。シリンダフランジ１９は、上下方向から見て、支持筒１５と重なって配置される。シリンダフランジ１９の下面と、支持筒１５の上端面とは、上下方向に互いに間隔をあけて配置される。
シリンダフランジ１９は、垂下筒１９ａを有する。垂下筒１９ａは、シリンダフランジ１９の外周部から下方に延びる筒状である。
【００３８】
連結筒部２０は、軸部１７の上端部とシリンダ筒部１８の内周面とを繋ぐ。連結筒部２０は、有底筒状である。
連結筒部２０は、底壁２０ａと、周壁２０ｂと、フランジ部２０ｃと、を有する。
【００３９】
底壁２０ａは、軸部１７の上端部から径方向外側に突出し周方向に延びる環状である。底壁２０ａは、一対の板面が上下方向を向く円形リング板状である。底壁２０ａは、ノズル本体筒１３の上端部よりも上方に位置する。底壁２０ａの外周部は、ノズル本体筒１３の上端部よりも径方向外側に位置する。
【００４０】
周壁２０ｂは、底壁２０ａの外周部から上方に延びる筒状である。図示の例では、周壁２０ｂの上端部が、シリンダフランジ１９よりも下方に位置する。
フランジ部２０ｃは、周壁２０ｂの上端部から径方向外側に突出し周方向に延びる環状である。フランジ部２０ｃは、一対の板面が上下方向を向く円形リング板状である。フランジ部２０ｃの外周部は、シリンダ筒部１８の内周面と接続される。図示の例では、フランジ部２０ｃの外周部が、シリンダ筒部１８の内周面のうち、上端部と下端部との間に位置する中間部分に接続される。
【００４１】
押下部２１は、第２ノズル部７の上端部に配置される。押下部２１は、キャップ体４から上方に突出し、下方に押下可能である。押下部２１は、有頂筒状である。押下部２１は、シリンダ筒部１８の上端開口を塞ぐ。
押下部２１は、頂部２１ａと、筒部２１ｂと、鍔部２１ｃと、を有する。
【００４２】
図示の例では、頂部２１ａが、上方に向けて湾曲するドーム状である。頂部２１ａは、一対の板面が上下方向を向き、中心軸Ｏを中心とする略円形板状である。ただしこれに限らず、頂部２１ａは、例えば平坦に形成された単なる円形板状等でもよい。頂部２１ａの外周部は、シリンダ筒部１８の上端部に対して、上方から接触する。
【００４３】
筒部２１ｂは、頂部２１ａの外周部から下方に延びる筒状である。筒部２１ｂは、シリンダ筒部１８の上端部に外挿される。筒部２１ｂは、上下方向から見て、シリンダフランジ１９および支持筒１５と重なって配置される。
【００４４】
鍔部２１ｃは、筒部２１ｂの下端部から径方向外側に突出し周方向に延びる環状である。鍔部２１ｃは、一対の板面が上下方向を向く円形リング板状である。鍔部２１ｃは、シリンダフランジ１９に対して、上方から接触する。図示の例では、鍔部２１ｃの外径と、シリンダフランジ１９の外径とが、互いに略同じである。
【００４５】
ピストン８は、第１ノズル部６に設けられて、第２ノズル部７と摺接する。ただしこれに限らず、ピストン８は、第２ノズル部７に設けられて、第１ノズル部６と摺接してもよい。つまりピストン８は、第１ノズル部６および第２ノズル部７のいずれか一方に設けられ、他方と摺接する。ピストン８は、後述する作動空間９の一部を構成する。
【００４６】
本実施形態において、ピストン８は、ノズル本体筒１３の上端部に固定され、シリンダ筒部１８の内周面と摺接する。
ピストン８は、環状板部８ａと、内筒部８ｂと、外筒部８ｃと、シール筒部８ｄと、を有する。
【００４７】
環状板部８ａは、中心軸Ｏを中心とする円形リング板状である。環状板部８ａは、一対の板面が上下方向を向く。図１において、環状板部８ａの上面には、連結筒部２０の底壁２０ａの下面が接触する。環状板部８ａの下面には、ノズル本体筒１３の上端面が接触する。
【００４８】
内筒部８ｂは、環状板部８ａの内周部から下方に延びる筒状である。内筒部８ｂは、ノズル本体筒１３の上端部に内嵌される。内筒部８ｂの内周面と、軸部１７の上側部分の外周面との間には、隙間が設けられる。
【００４９】
外筒部８ｃは、環状板部８ａの内周部と外周部との間に位置する中間部から下方に延びる筒状である。外筒部８ｃは、ノズル本体筒１３の上端部に外嵌される。図示の例では、内筒部８ｂの下端が、外筒部８ｃの下端よりも下方に位置する。
【００５０】
シール筒部８ｄは、上下方向に延びる筒状である。シール筒部８ｄは、連結筒部２０の底壁２０ａおよび周壁２０ｂよりも径方向外側に位置する。シール筒部８ｄは、連結筒部２０のフランジ部２０ｃよりも下方に位置する。シール筒部８ｄの内周面は、環状板部８ａの外周部と接続する。シール筒部８ｄの上端部は、環状板部８ａよりも上方に突出し、シール筒部８ｄの下端部は、環状板部８ａよりも下方に突出する。
シール筒部８ｄの上下方向の両端部は、両端部間に位置する部分よりも径方向外側に突出する。シール筒部８ｄの上下方向の両端部は、シリンダ筒部１８の内周面に対して、上下方向に摺動可能に接触する。
【００５１】
図１および図２に示すように、作動空間９は、第１ノズル部６と第２ノズル部７との間に配置され、第１ノズル部６と第２ノズル部７とが上下動することで容積が変化する。本実施形態では、第１ノズル部６およびピストン８に対して、第２ノズル部７が上下方向に移動することにより、作動空間９の内容積が変化する。作動空間９は、中心軸Ｏを中心とする環状の空間である。作動空間９は、上下方向において、連結筒部２０とピストン８との間に位置する。作動空間９は、ノズル本体筒１３の内周面と軸部１７の外周面との間の隙間を通して、バルブ筒１６のスリット１２に連通する。
【００５２】
付勢部１０は、第１ノズル部６に対して第２ノズル部７を上方付勢する。本実施形態では、付勢部１０が、例えば圧縮コイルばね等である。付勢部１０は、中心軸Ｏを中心とする環状である。付勢部１０は、上下方向において、シリンダフランジ１９と支持筒１５との間に配置される。付勢部１０の上端は、シリンダフランジ１９の下面と接触し、付勢部１０の下端は、支持筒１５の上端面と接触する。
【００５３】
パッキン１１は、容器本体２の口部２ａと第１ノズル部６との間に配置されて、容器本体２の内部と外部との間をシールする。本実施形態では、パッキン１１が、第１ノズル部６に装着される。パッキン１１は、中心軸Ｏを中心とする環状である。本実施形態では、パッキン１１が、上下方向において、口部２ａに装着されたしごき中栓５とノズルフランジ１４との間に挟まれる。パッキン１１の内周部は、ノズル本体筒１３の外周面と接触し、または径方向に隙間をあけて対向する。図示の例では、パッキン１１の外径が、ノズルフランジ１４の外径よりも僅かに小さい。
パッキン１１は、第１パッキン部１１ａと、第２パッキン部１１ｂと、を有する。
【００５４】
第１パッキン部１１ａは、中心軸Ｏを中心とする円形リング板状である。第１パッキン部１１ａは、一対の板面が上下方向を向く。第１パッキン部１１ａは、例えばゴム製等である。第１パッキン部１１ａの上面は、ノズルフランジ１４の下面と接触する。
【００５５】
第２パッキン部１１ｂは、中心軸Ｏを中心とする円形リング板状である。第２パッキン部１１ｂは、一対の板面が上下方向を向く。第２パッキン部１１ｂは、例えば樹脂製等である。第２パッキン部１１ｂの上面は、第１パッキン部１１ａの下面と接触する。つまり第１パッキン部１１ａと第２パッキン部１１ｂとは、上下方向に積層して配置される。
【００５６】
キャップ体４は、ノズル部材３と連結される。具体的に、キャップ体４は、ノズル部材３に対して、上下方向へは所定範囲において移動可能に連結される。またキャップ体４は、ノズル部材３に対して、径方向へは移動不能に、かつ周方向へは移動可能に連結される。
キャップ体４は、キャップ内筒２２と、キャップ外筒２３と、を有する。
【００５７】
キャップ内筒２２は、上下方向に延びる筒状である。図示の例では、キャップ内筒２２の上端が、支持筒１５の上端よりも上方に位置する。キャップ内筒２２の下端部は、径方向から見て、容器本体２の口部２ａと重なって配置される。キャップ内筒２２は、内周面の下端部に雌ねじ部を有する。キャップ内筒２２の雌ねじ部は、口部２ａの雄ねじ部に螺着される。
キャップ内筒２２は、係止突起２２ａと、縦溝２２ｂと、を有する。
【００５８】
係止突起２２ａは、キャップ内筒２２の内周面から径方向内側に突出し周方向に延びる。係止突起２２ａは、キャップ内筒２２の内周面において周方向の全周にわたって延びる環状のリブでもよく、周方向に互いに間隔をあけて配置される複数のリブでもよい。係止突起２２ａは、ノズルフランジ１４の外周部に対して、上方から接触する。
【００５９】
縦溝２２ｂは、キャップ内筒２２の外周面から径方向内側に窪み上下方向に延びる。縦溝２２ｂは、キャップ内筒２２の上端面に開口する。縦溝２２ｂは、キャップ内筒２２の外周面に、周方向に互いに間隔をあけて複数配置される。なお縦溝２２ｂは、キャップ内筒２２の外周面に１つのみ配置されてもよい。
【００６０】
キャップ外筒２３は、有頂筒状である。キャップ外筒２３は、キャップ内筒２２を径方向外側から囲う。キャップ外筒２３の内周面は、キャップ内筒２２の外周面と接触する。キャップ外筒２３とキャップ内筒２２とは、互いに固定される。キャップ外筒２３の上端部は、キャップ内筒２２の上端部よりも上方に位置する。キャップ外筒２３の下端部は、キャップ内筒２２の下端部よりも下方に位置する。
キャップ外筒２３は、キャップ周壁２３ａと、キャップ頂壁２３ｂと、縦リブ２３ｃと、を有する。
【００６１】
キャップ周壁２３ａは、上下方向に延びる筒状である。キャップ周壁２３ａの上端部は、第１ノズル部６の上端部よりも上方に位置する。キャップ周壁２３ａの下端部は、容器本体２の肩部２ｃに対して、上方から隙間をあけて対向する。キャップ周壁２３ａの外径は、容器本体２の外径と比べて僅かに小さく、または略同じである。
【００６２】
キャップ頂壁２３ｂは、キャップ周壁２３ａの上端部から径方向内側に突出し周方向に延びる環状である。キャップ頂壁２３ｂは、一対の板面が上下方向を向く略円形リング板状である。キャップ頂壁２３ｂは、キャップ周壁２３ａの上端部と接続する外周部から径方向内側に向かうに従い、上方に向けて僅かに傾斜している。キャップ頂壁２３ｂの内周部は、押下部２１の鍔部２１ｃに対して、上方から接触する。キャップ頂壁２３ｂの内周部は、押下部２１の筒部２１ｂに対して、径方向外側から隙間をあけて対向しまたは摺接する。
【００６３】
縦リブ２３ｃは、キャップ周壁２３ａの内周面から径方向内側に突出し上下方向に延びる。縦リブ２３ｃは、キャップ周壁２３ａの内周面に、周方向に互いに間隔をあけて複数配置される。なお縦リブ２３ｃは、キャップ周壁２３ａの内周面に１つのみ配置されてもよい。縦リブ２３ｃは、キャップ内筒２２の縦溝２２ｂ内に配置される。縦溝２２ｂ内に縦リブ２３ｃが挿入されることにより、キャップ外筒２３とキャップ内筒２２とが、周方向に相対移動することが規制される。
【００６４】
しごき中栓５は、容器本体２の口部２ａに装着される。しごき中栓５は、口部２ａ内に嵌合する筒状の部分と、口部２ａの上端面に対して上方から接触する板状の部分と、を有する。しごき中栓５は、ノズル本体筒１３の外周面およびバルブ筒１６の外周面に付着した内容液ＬおよびカプセルＣを、容器本体２内にしごき落とす機能を有する。
【００６５】
本実施形態のスポイト容器１の使用方法について説明する。
図２に示すように、容器本体２に対してキャップ体４を周方向に回転させて、キャップ体４と口部２ａとの螺着状態を解除する。このとき、キャップ体４は、第１ノズル部６に対して上方移動させられていく。第２ノズル部７は、付勢部１０の上方付勢力により、キャップ体４とともに、第１ノズル部６に対して上方移動させられる。
【００６６】
第１ノズル部６に対して第２ノズル部７が上方移動したときに、作動空間９の容積が増大して負圧が生じ、スリット１２を通してノズル部材３の内部にカプセルＣおよび内容液Ｌが吸引される。すなわち、キャップ体４を口部２ａから取り外すことで、第１ノズル部６に対して第２ノズル部７を上昇させると、作動空間９の負圧の作用により、バルブ筒１６の底壁部１６ｂが弾性変形してスリット１２が開口し、このスリット１２を通して、容器本体２内のカプセルＣおよび内容液Ｌが、ノズル本体筒１３内に吸い込まれる。具体的に、スリット１２を通してカプセルＣおよび内容液Ｌは、ノズル本体筒１３および底壁部１６ｂと、軸部１７との間に流入する。
【００６７】
第１ノズル部６に対して、キャップ体４および第２ノズル部７が上方移動していき、上下方向において所定の位置に達すると、特に図示しないが、キャップ体４の係止部が第１ノズル部６の被係止部に対して下方から接触し、それ以上の第１ノズル部６に対するキャップ体４および第２ノズル部７の上方移動が規制される。この状態で、容器本体２に対してキャップ体４を上方移動させて、図３に示すように、容器本体２からキャップ体４およびノズル部材３を取り外す。
【００６８】
次に、図４に示すように、キャップ体４に対して押下部２１を下方移動させる。具体的には、付勢部１０の上方付勢力よりも大きな力で押下部２１を押下し、キャップ体４および第１ノズル部６に対して、第２ノズル部７を下方移動させる。
【００６９】
第１ノズル部６に対して第２ノズル部７が下方移動したときに、底壁部１６ｂと軸部１７との間でカプセルＣが破砕され、スリット１２を通してノズル部材３の外部に内容物および内容液Ｌが吐出される。すなわち、押下部２１を押下することで、第１ノズル部６に対して第２ノズル部７を下降させると、底壁部１６ｂの上面と軸部１７の下端面との間にカプセルＣが挟まれて破砕され、カプセルＣに封入されていた内容物および内容液Ｌが、容積が減少した作動空間９の正圧の作用により、スリット１２を通してノズル本体筒１３の外部に吐出される。なお、図４に示すように、作動空間９の容積が減少して正圧が生じることで、底壁部１６ｂが弾性変形して下方に突出してもよい。
【００７０】
以上説明した本実施形態のスポイト容器１によれば、スポイト容器１を吐出操作したときに、カプセルＣが破砕されて内容物が内容液Ｌと一緒にノズル部材３の外部に吐出される。すなわち、吐出操作前においては、内容物がカプセルＣに封入された状態であり、内容液Ｌや外気に晒されることが抑えられているため、内容物の機能（効能）が良好に維持される。具体的に、ノズル部材３の内部にカプセルＣおよび内容液Ｌが吸引される際には、カプセルＣが破砕されないため、容器本体２内の内容液Ｌに、カプセルＣの破片やカプセルＣの内容物が入り込むことを抑制できる。そして、スポイト容器１を吐出操作したときにカプセルＣが破砕されるため、内容物の機能が安定して発揮される。本実施形態によれば、吐出操作によってカプセルＣを破砕することができ、従来のように使用者が掌の上等でカプセルＣを潰す手間が少なく抑えられ、使い勝手がよい。
【００７１】
また本実施形態では、ピストン８によって作動空間９のシール性が良好に維持されるため、作動空間９の容積の増減によって作動空間９の内圧が安定して変化し、上述の作用効果が安定して得られる。
また、付勢部１０が第２ノズル部７を上方付勢しているので、本実施形態のように容器本体２の口部２ａからキャップ体４を取り外したときに、第１ノズル部６に対して第２ノズル部７が自然に上方移動するように構成することができる。つまり、キャップ体４を口部２ａから取り外すという１つの操作によって、ノズル部材３の内部に自然にカプセルＣおよび内容液Ｌを吸い込ませることができる。そして、押下部２１を押下することで、第１ノズル部６に対して第２ノズル部７を容易に下方移動させることができる。したがって、スポイト容器１の操作性が向上する。また、第１ノズル部６に対して第２ノズル部７が上下動するストロークが一定であるので、吐出操作によってノズル部材３から吐出される内容液Ｌの液量が一定となり、スポイト容器１の定量性が高められる。
【００７２】
また本実施形態では、底壁部１６ｂが、スリット１２が配置されて上方に湾曲する湾曲部１６ｅを有する。
この場合、第１ノズル部６に対して第２ノズル部７が上方移動したときに、スリット１２が開きやすくなり、ノズル部材３の内部にカプセルＣおよび内容液Ｌをより吸い込みやすい。また、スリット１２が開く方向に湾曲部１６ｅが弾性変形するので、スリット１２を通過するカプセルＣが破砕されにくい。また、上方からの押圧力に対して底壁部１６ｂの剛性が確保しやすくなり、第１ノズル部６に対して第２ノズル部７が下方移動したときに、軸部１７と底壁部１６ｂとの間でカプセルＣを安定して破砕できる。したがって、底壁部１６ｂおよびスリット１２の機能がより高められる。
【００７３】
また本実施形態では、スリット１２が、底壁部１６ｂの下面視で放射状に形成される。
この場合、スリット１２がより安定して開閉する。
【００７４】
なお、本発明は前述の実施形態に限定されず、例えば下記に説明するように、本発明の趣旨を逸脱しない範囲において構成の変更等が可能である。
【００７５】
前述の実施形態では、スリット１２が、底壁部１６ｂの下面視で放射状に形成されている一例を挙げたが、これに限らない。スリット１２は、底壁部１６ｂの下面視で、例えば径方向に延びる直線状（つまりＩ字状）等であってもよい。
また、パッキン１１が、第１パッキン部１１ａおよび第２パッキン部１１ｂを有する一例を挙げたが、これに限らない。すなわち、パッキン１１は、複数設けられる構成に限らず、例えばシール性が確保できる場合には１枚のみでもよい。
【００７６】
その他、本発明の趣旨を逸脱しない範囲で、上述した実施形態における構成要素を周知の構成要素に置き換えることは適宜可能であり、また、上述した実施形態および変形例を適宜組み合わせてもよい。
【符号の説明】
【００７７】
１…スポイト容器、２…容器本体、２ａ…口部、３…ノズル部材、４…キャップ体、６…第１ノズル部、７…第２ノズル部、８…ピストン、９…作動空間、１０…付勢部、１２…スリット、１６ｂ…底壁部、１６ｅ…湾曲部、１７…軸部、２１…押下部、Ｃ…カプセル、Ｌ…内容液
【図１】
2020083453.tif 000003
【図２】
2020083453.tif 000004
【図３】
2020083453.tif 000005
【図４】
2020083453.tif 000006